(57)【要約】【課題】データ通信サービス使用状態に従うアイコン表示方法及びこれをサポートする携帯端末機を提供する。【解決手段】本発明の方法は、サービスの使用制限が定義された少なくとも１つのサービスに対するサービス使用可能量情報の収集する収集ステップと、前記サービス使用可能量情報に従って色調節されたアイコン表示ステップと、を含む。【選択図】図３
2014135057.tif 000002
【特許請求の範囲】
【請求項１】
使用制限が定義された少なくとも１つのサービスに対するネットワーク接続状態を確認するステップと、
前記ネットワーク接続状態が前記サービスを無制限に提供するネットワークに接続した状態の場合、前記サービスをサポートするためのアイコン全体をカラーイメージで表示するステップと、
前記ネットワーク接続状態がサービス使用量に従って制限するネットワークに接続した状態の場合、サービス使用量情報に従って一定部分を白黒イメージで表示し、サービス使用可能量情報をカラーイメージで表示する色調節されたアイコンを表示するステップと、
を含むことを特徴とする、サービス使用状態に従うアイコン表示方法。
【請求項２】
前記サービス使用量及びサービス使用可能量情報収集のために前記サービスを提供する事業者サーバに接続するステップと、
前記事業者サーバから前記サービス使用量及びサービス使用可能量情報を収集するステップと、
をさらに含むことを特徴とする、請求項１に記載のサービス使用状態に従うアイコン表示方法。
【請求項３】
前記サービス使用可能量が一定量以下の場合、警告表示を行うステップと、
前記サービスの追加購買を案内する情報出力及び入力信号に従う追加購買処理をサポートするステップと、
をさらに含むことを特徴とする、請求項１に記載のサービス使用状態に従うアイコン表示方法。
【請求項４】
使用制限が定義された少なくとも１つのサービスに対するネットワーク接続をサポートする通信部と、
前記ネットワーク接続の状態が前記サービスを無制限に提供するネットワークに接続した状態の場合、前記サービスをサポートするためのアイコン全体をカラーイメージで表示するように制御し、前記ネットワーク接続の状態がサービス使用量に従って制限するネットワークに接続した状態の場合、サービス使用量情報に従って一定部分を白黒イメージで表示し、サービス使用可能量情報をカラーイメージで表示する色調節されたアイコンを表示するように制御する制御部と、
前記色調節されたアイコンを表示する表示部と、
を含むことを特徴とする、サービス使用状態に従うアイコン表示をサポートする携帯端末機。
【請求項５】
前記制御部は、
前記サービス使用量及びサービス使用可能量情報の収集のために前記サービスを提供する事業者サーバに接続し、前記事業者サーバから前記サービス使用量及びサービス使用可能量情報を収集するサービスネットワーク検査部と、
前記サービス使用に従う情報を累積して格納し、予め格納されたサービス使用総量で前記サービス使用可能量情報を算出するサービス端末検査部と、
のうち、少なくとも１つを含むことを特徴とする、請求項４に記載のサービス使用状態に従うアイコン表示をサポートする携帯端末機。
【請求項６】
前記制御部は、前記サービス使用可能量が一定量以下の場合、警告表示を行うことを特徴とする、請求項４に記載のサービス使用状態に従うアイコン表示をサポートする携帯端末機。
【請求項７】
前記制御部は、前記サービスの追加購買を案内する情報出力及び入力信号に従う追加購買処理をサポートすることを特徴とする、請求項６に記載のサービス使用状態に従うアイコン表示をサポートする携帯端末機。
【請求項８】
前記表示部は、前記サービス使用可能量が一定量以下の場合、警告表示を前記アイコン上に出力することを特徴とする、請求項４に記載のサービス使用状態に従うアイコン表示をサポートする携帯端末機。
【請求項９】
前記制御部は、入力イベント発生によって前記色調節されたカラーイメージに対応するサービス使用可能量情報を前記アイコンに代えてテキスト情報として表示するように制御することを特徴とする、請求項４に記載のサービス使用状態に従うアイコン表示をサポートする携帯端末機。
【請求項１０】
前記表示部は、複数のサービス使用可能量に従って色調節されたカラーイメージを１つのアイコンに領域を区分して表示することを特徴とする、請求項４に記載のサービス使用状態に従うアイコン表示をサポートする携帯端末機。
【請求項１１】
前記制御部は、特定サービス使用可能量が無制限に変更される場合、前記アイコンに区分された複数の領域のうち、無制限に変更されたサービス領域を除去して表示するように制御することを特徴とする、請求項１０に記載のサービス使用状態に従うアイコン表示をサポートする携帯端末機。
【請求項１２】
使用制限が定義された少なくとも１つのサービスに対するサービス使用可能量情報を収集する収集ステップと、
前記サービス使用可能量情報に従って色調節されたアイコン表示ステップと、
を含むことを特徴とする、サービス使用状態に従うアイコン表示方法。
【請求項１３】
アイコン表示画面出力が要請されるステップをさらに含み、
前記サービス使用可能量情報を収集するステップは、前記アイコン表示画面に含まれるアイコンのうち、前記使用制限が定義されたサービスを指示する少なくとも１つのアイコンに対応するサービス使用可能量情報を収集するステップであることを特徴とする、請求項１２に記載のサービス使用状態に従うアイコン表示方法。
【請求項１４】
アイコン表示画面上で特定アイコンを指示する入力イベントを受信するステップをさらに含み、
前記サービス使用可能量情報を収集するステップは、前記指示されたアイコンに対応するサービス使用可能量情報を収集するステップであることを特徴とする、請求項１２に記載のサービス使用状態に従うアイコン表示方法。
【請求項１５】
前記入力イベントは、前記アイコンが表示されたパネルの上にタッチ物体が一定間隔離隔したホバリングイベントを含むことを特徴とする、請求項１４に記載のサービス使用状態に従うアイコン表示方法。
【請求項１６】
前記サービス使用可能量情報を収集するステップは、
サービス使用総量情報を収集するステップと、
サービス使用量を累積格納するステップと、
前記サービス使用総量情報で前記サービス使用量を減算して前記サービス使用可能量を算出するステップと、
を含むことを特徴とする、請求項１２に記載のサービス使用状態に従うアイコン表示方法。
【請求項１７】
一定周期で前記サービスをサポートするサービス事業者装置に接続して前記サービス使用量及びサービス使用可能量情報を収集するステップと、
前記サービス使用量及び前記サービス使用可能量情報を同期化するステップと、をさらに含むことを特徴とする、請求項１６に記載のサービス使用状態に従うアイコン表示方法。
【請求項１８】
前記収集ステップは、
サービスネットワーク検査部を用いて一定周期またはリアルタイムに前記サービスをサポートするサービス事業者サーバに接続するステップと、
前記サービス事業者サーバから前記サービス使用可能量情報を収集するステップと、
を含むことを特徴とする、請求項１２に記載のサービス使用状態に従うアイコン表示方法。
【請求項１９】
各々のアイコンに前記サービス事業者サーバの接続のためのサービスネットワーク検査部をそれぞれ割り当てるステップをさらに含むことを特徴とする、請求項１８に記載のサービス使用状態に従うアイコン表示方法。
【請求項２０】
前記アイコン表示ステップは、
サービス使用可能量に従う部分をカラーイメージで出力し、サービス使用量に従う部分を白黒イメージで出力するステップと、
前記サービス使用可能量に従って予め定義された色調節されたアイコンをアイコンテーブルから選択して出力するステップと、
前記サービス使用可能量に従ってカラーイメージで具現されたアイコンの色の一部を除去するステップ、
のうち、いずれか１つのステップを含むことを特徴とする、請求項１２に記載のサービス使用状態に従うアイコン表示方法。
【請求項２１】
前記アイコンが出力された領域の上で発生する入力イベントを受信するステップと、
前記入力イベントによって前記アイコンに表示された色調節されたイメージを除去しながら前記サービス使用可能量に該当するテキスト情報を前記アイコンに代えて出力するステップと、
をさらに含むことを特徴とする、請求項１２に記載のサービス使用状態に従うアイコン表示方法。
【請求項２２】
前記入力イベント解除時または一定時間経過時、元の色調節されたイメージを前記アイコンとして出力するステップをさらに含むことを特徴とする、請求項２１に記載のサービス使用状態に従うアイコン表示方法。
【請求項２３】
前記アイコン表示ステップは、複数のサービス使用可能量に従って色調節されたイメージを１つのアイコンに領域を区分して表示するステップをさらに含むことを特徴とする、請求項１２に記載のサービス使用状態に従うアイコン表示方法。
【請求項２４】
特定サービス使用可能量が無制限に変更される場合、前記アイコンに区分された複数の領域のうち、無制限に変更されたサービス領域を除去するステップをさらに含むことを特徴とする、請求項２３に記載のサービス使用状態に従うアイコン表示方法。
【請求項２５】
前記アイコン表示ステップは、携帯端末機のネットワーク接続状態の変更に従ってサービス使用可能量が無制限に変更される場合、前記サービス使用可能量が１００％に該当するカラーイメージをアイコンに適用するステップを含むことを特徴とする、請求項１２に記載のサービス使用状態に従うアイコン表示方法。
【請求項２６】
前記アイコン表示ステップは、前記サービス使用可能量が設定値以下の場合、警告情報を前記アイコン上に出力するステップを含むことを特徴とする、請求項１２に記載のサービス使用状態に従うアイコン表示方法。
【請求項２７】
前記サービスの追加購買の要請及び処理をサポートするステップをさらに含むことを特徴とする、請求項２６に記載のサービス使用状態に従うアイコン表示方法。
【発明の詳細な説明】
【技術分野】
【０００１】
本発明は携帯端末機のアイコン表示に関し、より詳細には、データ通信使用状態に従ってアイコンを表示する方法であって、サービス使用可能量によってアイコンの表示形態を調節するアイコン表示方法及びこれをサポートする携帯端末機に関する。
【背景技術】
【０００２】
通信機能を有する携帯端末機は、そのサイズが携帯容易な程度に十分に小さくなり、多くの人々が利用している。このような携帯端末機は、最近になってタッチスクリーンサイズが拡大されると共に、多様なコンテンツを提供することができるハードウェア及びソフトウェアのサポートにより劇的な成長を謳歌している。
【０００３】
携帯端末機が提供する通信機能は、ユーザが必ず必要とする機能になった。これによって、ユーザが多様なインターネットサービス及びチャンネルを購読する際に、より便利で、かつ容易にサービスを使用することができる多様な技術が提案され、開発されている。併せて、携帯端末機の通信機能、特にデータ通信機能を基盤とするインターネット接続機能や音楽利用機能なども利用率が急速に増加している。
【０００４】
一方、携帯端末機のデータ通信機能を使用するユーザには一般的に、一定のデータ使用量の割合に従って料金が賦課される。このことから、ユーザは自身が指定した料金制に従って一定料金を支払い、データ通信機能を利用している。一方、データ通信機能を提供するサービス事業者は、各ユーザ別に現在のデータ通信使用量がどのくらいなのかを確認することができるサービスを提供している。
【０００５】
しかしながら、このような機能はユーザにとって不便である。サービス使用量を確認するために、ユーザは該当サービス事業者が提供するウェブサーバへの接続過程を行い、該当サービス事業者が提供する情報の受信を待たなければならず、また受信した情報の中から、自身が希望する情報を見つけなければならない。
【０００６】
また、ユーザが接続を行う過程は、それ自体がデータ通信サービスを使用するため、ユーザに追加的な費用を負担させることになる。例えば、ユーザが所定の期間の間に消費することができるデータ通信サービス量を制限すると、所定の期間の間に使用することができる残りのデータ使用可能量が減る。仮に、ユーザが制限されているサービスの量を超過しないために、現在のサービス使用量を確認しようとすると、ユーザに不合理な負担を及ぼすことになる。
【発明の概要】
【発明が解決しようとする課題】
【０００７】
本発明は、上記従来の問題に鑑みてなされたものであって、本発明の目的は、携帯端末機のサービス使用可能量に従ってアイコンの一部に色調節を行い、より直観的で、かつ迅速にサービス使用可能量に関する情報獲得が可能になるサービス使用状態に従うアイコン表示方法及びこれをサポートする携帯端末機を提供することにある。
【課題を解決するための手段】
【０００８】
上記目的を達成するためになされた本発明の一態様によるサービス使用状態に従うアイコン表示方法は、使用制限が定義された少なくとも１つのサービスに対するネットワーク接続状態を確認するステップ、前記ネットワーク接続状態が前記サービスを無制限に提供するネットワークに接続した状態の場合、前記サービスをサポートするためのアイコン全体をカラーイメージで表示するステップ、前記ネットワーク接続状態がサービス使用量に従って制限するネットワークに接続した状態の場合、サービス使用量情報に従って一定部分を白黒イメージで表示し、前記サービス使用可能量情報をカラーイメージで表示する色調節されたアイコンを表示するステップと、を含むことを特徴とする。
【０００９】
上記目的を達成するためになされた本発明の一態様によるアイコン表示をサポートする携帯端末機は、使用制限が定義された少なくとも１つのサービスに対するネットワーク接続をサポートする通信部と、前記ネットワーク接続状態が前記サービスを無制限に提供するネットワークに接続した状態の場合、前記サービスをサポートするためのアイコン全体をカラーイメージで表示するように制御し、前記ネットワーク接続状態がサービス使用量に従って制限するネットワークに接続した状態の場合、サービス使用量情報に従って一定部分を白黒イメージで表示し、前記サービス使用可能量情報をカラーイメージで表示する色調節されたアイコンを表示するように制御する制御部と、前記色調節されたアイコンを表示する表示部と、を含むことを特徴とする。
【００１０】
上記目的を達成するためになされた本発明の他の態様によるサービス使用状態に従うアイコン表示方法は、使用制限が定義された少なくとも１つのサービスに対するサービス使用可能量情報を収集する収集ステップと、前記サービス使用可能量情報に従って色調節されたアイコン表示ステップを含むことを特徴とする。
【発明の効果】
【００１１】
本発明のサービス使用状態に従うアイコン表示方法及びこれをサポートする携帯端末機によれば、特定サービス使用可能量をアイコンの色調節を通じて提供することによって、より直観的なサービス使用可能量情報の獲得が可能になる。
また、設定に従って一定周期でサービス事業者サーバから情報を収集することによって、サービス事業者サーバ接続が不可能な状況でも、より効率的な情報提供が可能であるようにサポートする。
【図面の簡単な説明】
【００１２】
【図１】本発明の一実施形態によるサービス使用状態に従うアイコン表示をサポートする携帯端末機の構成を概略的に示す図である。
【図２】図１の携帯端末機の構成のうち、制御部の構成をより詳細に示す図である。
【図３】本発明の一実施形態によるサービス使用状態に従うアイコン表示方法を説明するための図である。
【図４】本発明の一実施形態によるサービス使用状態に従うアイコン表示方法のネットワークに関連した例を説明するための図である。
【図５】本発明の一実施形態によるサービス使用状態に従うアイコン表示方法のうち、アイコン関連サービス運用サポートの一例を説明するための図である。
【図６】本発明の一実施形態によるサービス使用可能量に従うアイコン表示をサポートする画面インターフェースの一例を示す図である。
【図７】本発明のサービス使用状態による色調節されたアイコン表示を説明するための図である。
【図８】本発明の一実施形態によるサービス使用可能量情報の表現を多様化する一例を説明するための図である。
【図９】本発明の一実施形態によるサービス使用可能量情報の表現を多様化する一例を説明するための図である。
【図１０】本発明の他の実施形態による色調節されたアイコン表示形態を説明するための図である。
【図１１】本発明の一実施形態によるサービス使用可能量に従うアイコン表示方法の他の例を説明するための図である。
【発明を実施するための形態】
【００１３】
以下、本発明を実施するための形態の具体例を、図面を参照しながら詳細に説明する。
【００１４】
本発明の実施形態を説明するに当たって、本発明が属する技術分野において十分知られており、本発明と直接的に関連のない技術内容に対しては説明を省略する。また、実質的に同一な構成と機能を有する構成要素に対しては詳細な説明を省略する。
【００１５】
また、図面において、一部構成要素は誇張、省略、または概略的に図示し、各構成要素のサイズは実際のサイズを正確に反映するものでない。したがって、本発明は図面に示した相対的なサイズや間隔により制限されるものではない。
【００１６】
図１は、本発明の一実施形態によるサービス使用可能量に従うアイコン表示機能をサポートする携帯端末機１００の構成を概略的に示す図である。
【００１７】
以下に説明するサービスは、携帯端末機１００の通信機能を通じて一定の課金が要求される通信サービスを含む。例えば、サービスはウェブ接続サービスであり、ウェブ接続後の、特定データ受信機能、特定音楽利用機能、特定ビデオファイル利用機能、及び特定テキスト利用機能などの多様な機能である。特に、サービスでは複合的な課金が発生する。例えば、ＤＲＭ（Ｄｉｇｉｔａｌ  Ｒｉｇｈｔ  Ｍａｎａｇｅｍｅｎｔ）が設定されたコンテンツを携帯端末機１００の通信機能を通じて利用する場合、携帯端末機１００のユーザには、コンテンツサービス使用課金とデータサービス使用課金とが同時に課金される。また、データサービス使用料金の場合、携帯端末機１００が接続されるネットワークの種類によって無制限利用が可能であるか、またはデータ使用量に従う従量課金が適用される。
【００１８】
図１を参照すると、携帯端末機１００は、通信部１１０、入力部１２０、オーディオ処理部１３０、表示部１４０、格納部１５０、及び制御部１６０を含む。ここで、入力部１２０と入力機能を備える表示部１４０は、携帯端末機１００の入力手段の役割を果たす。
【００１９】
このような構成を含む本実施形態の携帯端末機１００は、ユーザが加入したサービス種類に関する情報と、該当サービス使用量に従う情報、及び残りのサービス使用量に従うサービス使用可能量に対する情報を収集し、これを該当サービスを使用するために提供されるアイコンに適用する。特に、携帯端末機１００はサービス使用可能量をアイコンの色調節を通じて提供することによって、ユーザがアイコンを視認するだけでサービス使用可能量を即座に確認できる。
【００２０】
通信部１１０は、携帯端末機１００の通信サービス使用をサポートする。通信部１１０は、例えばデータ通信サービスを基盤とする、ウェブ接続サービス、音楽利用機能、及びテレビ電話機能などの使用制限がある通信サービスをサポートするためのデータ通信チャンネル形成をサポートする。この際、サービス使用可能量は、携帯端末機１００のユーザが加入したサービス使用総量から、通信部１１０が形成するデータ通信チャンネルを介して送受信することに従うサービス使用量を差し引いて求める。本実施形態では、通信部１１０が提供する多様な通信サービスのうち、使用制限を受けるデータ通信サービスについて説明するが、本発明はこれに限定されるものではない。使用制限は、音声通話や文字メッセージ送信機能などに対しても設定され得る。
【００２１】
上述した各サービスの利用をサポートするために、携帯端末機１００は各サービス機能を選択及び活性化するためのアイコンを表示部１４０に出力する。データ通信サービスの場合、利用できる多様なサービスに対応してアイコンが提供される。例えば、ウェブ接続アイコン、音楽サイト接続アイコン、テレビ電話サービスアイコン、ゲームアイコン、クラウドサーバ接続アイコン、検索アイコンなどは、データ通信チャンネルを介してネットワークに接続し、該当アイコンに定義された情報に従って該当サービスをサポートするサーバ接続、又は他の端末機への接続をサポートする。通信部１１０は、３Ｇ通信モジュール、４Ｇ通信モジュール、２Ｇ通信モジュール、Ｗｉ−Ｆｉ通信モジュール、近距離通信モジュールなど、多様な通信モジュールのうち、少なくとも１つを含んで構成される。
【００２２】
入力部１２０は、携帯端末機１００の動作に必要な多様な入力信号を生成するように構成される。入力部１２０は、携帯端末機１００の互換可能なオプションに応じて、キーボード、キーパッド、及びキーボタンなどの多様な入力手段で構成できる。携帯端末機１００の駆動制御やユーザ機能動作のための入力信号を生成するという側面で、入力部１２０はタッチパネルと表示パネルに出力されるタッチマップの形態で構成され得る。また、入力部１２０はタッチ用ペンとペンタッチパネルを含む形態に構成され得る。
【００２３】
入力部１２０は、サービス使用可能量に従って色調節されて出力される少なくとも１つのアイコンが含まれた表示画面の出力を要請するための入力信号、特定アイコン選択のための入力信号、アイコン選択に応じて活性化されたユーザ機能を制御するための入力信号などを生成する。
【００２４】
入力部１２０は、サービス使用可能量が全て消費するか、または一定量以下に消費された場合、該当サービス追加利用のための購入要請を発行するための入力信号をユーザ要請によって生成する。生成された入力信号は、制御部１６０に送信され、該当入力信号に応じた機能が遂行される。また、入力部１２０はアイコン表示画面をスキップしたり取消したりするための入力信号、例えばスリープ状態変更のための入力信号、スリープ状態解除のための入力信号などをユーザ制御によって生成する。
【００２５】
オーディオ処理部１３０は、携帯端末機１００の操作に応じて多様なオーディオデータ及び格納部１５０に格納されたオーディオファイル再生によるオーディオデータ、外部から受信したオーディオデータなどを出力する。また、オーディオ処理部１３０は、オーディオデータ収集機能をサポートする。このために、オーディオ処理部１３０はスピーカー（ＳＰＫ）とマイク（ＭＩＣ）を含む。
【００２６】
オーディオ処理部１３０は、サービス使用可能量に従うアイコン表示をサポートするための多様なオーディオ信号を出力する。例えば、オーディオ処理部１３０は、特定のサービス使用可能量に従って色調節されたアイコンが選択された場合、該当サービス使用可能量に関する情報を案内音で出力する。また、オーディオ処理部１３０は、特定アイコンに関連付けられたサービス使用可能量が一定量以下の場合、それに対する警告音や案内音を出力し、該当サービスの延長を促す案内音を出力する。携帯端末機１００は、このような案内音出力サポートのために上述した案内音を予め格納部１５０に格納する。
【００２７】
表示部１４０は、携帯端末機１００操作に必要となる多様な画面を提供する。例えば、表示部１４０は、携帯端末機１００の操作に必要となる待機画面、メニュー画面、メモやｅメール作成画面、ウェブページ画面などを出力する。表示部１４０は、タッチパネルと表示パネルが積層されたタッチスクリーン形態で構成されて入力機能をサポートする。
【００２８】
表示部１４０は、少なくとも１つのアイコンを含むアイコン表示画面の出力をサポートする。この際、表示部１４０に出力されるアイコンのうち、使用制限があるサービスに関連付けられたアイコンはサービス使用可能量に従う色調節が行われて出力される。サービスに関連付けられたアイコンをサービス使用可能量に従って透明度を調節することもできる。透明度を変える場合、関連付けられたアイコンが一定透明度以上を有するようになると、当該アイコンが如何なる特性のアイコンであるかをユーザが容易に確認できないという問題がある。
【００２９】
したがって、透明度を適用する構成は、直観的なサービス使用可能量の情報獲得とは相違する効果を提供する。そこで、本発明ではサービス使用可能量をユーザが直観的に認識できるようにアイコンの形状は維持しながら一部の色を調節する。例えば、表示部１４０は使用制限のあるサービスに関連付けられたアイコンのサービス使用量部分を白黒で表し、サービス使用可能量部分をカラーで表すことによって、ユーザが該当アイコンが如何なるサービスをサポートするのかを容易に認識できるようにすると共に、サービス使用可能量のレベルを容易に把握できるようにサポートする。表示部１４０を通じて出力される使用制限のあるサービスに関連付けられたアイコンの表示に関しては、後述する多様な画面について図面を参照しながらより詳しく説明する。
【００３０】
格納部１５０は、携帯端末機１００の操作に必要となるオペレーティングシステム及び多様なユーザ機能に該当するデータ、またはアプリケーションプログラムとアルゴリズムなどを格納する。特に、格納部１５０は、サービス使用可能量に従うアイコンの色調節のためにアイコン出力サポートプログラム１５１、アイコンテーブル１５３、及びサービス使用データベース１５５を含む。
【００３１】
アイコン出力サポートプログラム１５１は、サービス使用可能量に従うアイコンの色調節のために、使用制限のあるサービスに関連付けられたアイコンを収集するルーチン、収集されたアイコンに関連付けられたサービス関連情報を収集するルーチン、収集したサービス関連情報に従うアイコン色調節ルーチン、及び色調節されたアイコンを出力するルーチンを含む。ここで、アイコンに関連付けられたサービス関連情報を収集するルーチンは、サービス使用総量情報を収集するルーチン、サービス使用量情報を収集するルーチン、及びサービス使用可能量情報を収集するルーチンを含む。
【００３２】
サービス関連情報を収集するルーチンは、ユーザの特定サービス使用量を累積して格納部１５０に格納し、累積格納されたサービス使用量を用いてサービス使用可能量を算出するルーチン、該当サービス事業者のサーバに接続して該当ユーザのサービス使用可能量に関する情報を収集するルーチンのうち、少なくとも１つを含む。
【００３３】
アイコンテーブル１５３は、携帯端末機１００がサポートする多様なサービスに関連付けられたアイコンを格納する。このようなアイコンは一定イメージで具現されて、制御部１６０の制御によって表示部１４０の一定位置に出力され、特定サービスサポートのためのリンク情報を含む。表示部１４０に出力されたアイコンが選択されると、制御部１６０は該当アイコンにリンクされた情報に基づいてユーザ機能、又は特定通信サービス機能を活性化する。
【００３４】
アイコンテーブル１５３は、サービス使用可能量に従って色調節された各々の同様なアイコンを含む。例えば、ウェブ接続に関して、アイコンテーブル１５３は１％〜１００％のサービス使用可能量を示すように色調節されたウェブ接続アイコンを含む。ここで、アイコンテーブル１５３は、１０％単位、または１％単位で色調節が具現されたウェブ接続アイコンを含み、または１％単位に色調節が具現されたウェブ接続アイコンを含み得る。
【００３５】
また、アイコンテーブル１５３は、特定サービスに関連したアイコンに対して、白黒アイコン及び１％〜１００％のサービス使用可能量を示すように設けられた複数個のカラーアイコンを含む。このように区分されたアイコンテーブル１５３は、白黒アイコンとカラーアイコンとを重畳して出力することによって、サービス使用可能量を直観的に表現するようにサポートする。一方、アイコンテーブル１５３は、色調節されたアイコン出力ルーチンがカラーイメージで具現されたアイコンの一定部分の彩度を白黒に切り換えることができる場合には省略できる。
【００３６】
サービス使用データベース１５５は、携帯端末機１００のサービス使用に関連した多様な情報を収集する。例えば、サービス使用データベース１５５は、データ通信サービスに関連したサービス使用量情報、サービス使用総量情報、及びサービス使用可能量情報を格納する。また、サービス使用データベース１５５は、音楽サービスに関連したサービス使用量情報、サービス使用総量情報、及びサービス使用可能量情報を格納する。
【００３７】
また、サービス使用データベース１５５は、特定のビデオコンテンツサービスを格納する。サービス使用データベース１５５に格納される各情報は、携帯端末機１００での各サービス使用に従って累積または更新される。また、サービス使用データベース１５５に格納される各情報は、該当サービスを提供するサービス事業者のサーバから受信して格納される。
【００３８】
制御部１６０は、本実施形態によるサービス使用可能量に従って色調節されたアイコン表示機能をサポートするために必要な多様な信号フロー制御、情報収集、及び出力などを制御する。このために、制御部１６０は、図２に示す構成を含む。
【００３９】
図２は、図１の携帯端末機の構成のうち、制御部１６０の構成をより詳細に示す図である。
【００４０】
図２を参照すると、制御部１６０は、サービス検査部６０及びアイコン出力サポート部７０を含む。サービス検査部６０は、サービス端末検査部６１及びサービスネットワーク検査部６３のうち、少なくとも１つを含む。
【００４１】
サービス検査部６０は、使用制限があるサービスのサービス使用可能量情報を収集し、収集したサービス使用可能量情報をアイコン出力サポート部７０に伝達する。サービス検査部６０は、格納部１５０に含まれるサービス使用データベース１５５に登録されたサービスに対する情報収集をサポートする。特に、サービス検査部６０は、携帯端末機１００で実行される使用制限があるサービスの情報を、携帯端末機１００の動作に従って収集するためにサービス端末検査部６１を提供し、サービス事業者サーバからサービス使用関連情報を収集するためにサービスネットワーク検査部６３を提供する。ここで、サービス検査部６０は、携帯端末機１００の設定によって、またはユーザ設定によってサービス端末検査部６１のみを作動させたり、サービスネットワーク検査部６３のみを作動させたりするようにサポートする。
【００４２】
サービス端末検査部６１は、サービス使用可能量情報を携帯端末機１００の動作に従って収集し、これを格納するように制御し、格納したサービス使用可能量情報をアイコン出力サポート部７０に提供する。より詳しく説明すると、サービス端末検査部６１は、アイコン表示画面で特定サービスに関連付けられたアイコンが選択されると、該当アイコンに対応したユーザ機能動作で消費したサービス使用量情報を収集する。例えば、サービス端末検査部６１は、データ使用量、音楽使用量、ビデオコンテンツ使用量、及びテキストコンテンツ使用量などを収集する。
【００４３】
サービス端末検査部６１は、該当使用量情報をサービス使用データベース１５５に格納する。この際、サービス端末検査部６１は、各サービスの利用総量情報を予め収集し、これをサービス使用データベース１５５に格納する。このために、サービス端末検査部６１は、特定サービスに加入した場合、該当サービスを提供するサービス事業者サーバからサービスの使用総量情報を収集する。
【００４４】
サービス端末検査部６１は、携帯端末機１００の運用に従って使用量情報が収集されると、予め格納されたサービス使用総量情報からこれを減算してサービス使用可能量情報を算出し、これを格納する。一方、携帯端末機１００の運用に従うサービス使用量が実際のサービス事業者サーバが記録する情報と異なることがあるので、サービス端末検査部６１は一定周期で、またはユーザ要請によって各サービスを提供するサービス事業者サーバに接続して該当サービスの使用量及び使用可能量情報のうち、少なくとも１つを収集し、これに基づいてサービス使用データベース１５５の該当情報を更新して情報同期化を行う。
【００４５】
アイコン表示画面の出力が要請されるか、特定アイコンが指示されるなどのアイコンのサービス使用可能量情報出力のための設定イベントが発生すると、サービス端末検査部６１はサービス使用データベース１５５に格納されたサービス使用可能量情報をアイコン出力サポート部７０に伝達する。
【００４６】
サービスネットワーク検査部６３は、サービス使用可能量情報収集のために該当サービスを提供するサービス事業者サーバ接続を行う。このために、サービスネットワーク検査部６３は、予め定義された設定イベントが発生すると、少なくとも１つのアイコンに関連したサービスを提供するサービス事業者サーバ接続を行うように通信部１１０を制御する。ここで、予め定義された設定イベントは、アイコン表示画面の出力を要請する入力イベントが発生するか、アイコン表示画面が出力された状態で特定アイコンを指示する入力イベント、特定アイコン選択のためのホバリング状態が検出される場合などを含む。また、予め定義された設定イベントは一定周期またはリアルタイムを含む。
【００４７】
サービスネットワーク検査部６３は、サービス使用データベース１５５に登録された各サービスを提供するサービス事業者サーバと一対一対応するように設けられる。即ち、携帯端末機１００が使用制限のあるウェブ接続サービス、音楽利用サービス、ビデオコンテンツサービスに加入し、該当サービスを使用するサービスネットワーク検査部６３は、第１〜第３サービスネットワーク検査部を含み、各サービスネットワーク検査部６３は、各サービス事業者サーバ接続を行い、各サービス事業者サーバから該当サービス使用可能量に関する情報を収集する。
【００４８】
サービスネットワーク検査部６３は、収集したサービス使用可能量に関する情報をサービス使用データベース１５５に格納し更新する。または、サービス使用データベース１５５の格納更新を行わず、サービスネットワーク検査部６３は収集したサービス使用可能量情報をリアルタイムにアイコン出力サポート部７０に伝達する。
【００４９】
アイコン出力サポート部７０は、サービス検査部６０からサービス使用可能量情報を受信し、これに基づいて色調節されたアイコンを出力する。この過程で、アイコン出力サポート部７０は、アイコンテーブル１５３に格納された多様な色調節されたアイコンのうち、いずれか１つを選択し、選択されたアイコンを表示部１４０の一定位置に出力する。より詳しく説明すると、アイコン出力サポート部７０は、アイコン表示画面の出力を要請する入力イベントが発生すると、該当アイコン表示画面に含まれるアイコンのうち、サービス使用可能量情報の適用を必要とするアイコンを確認する。このため、アイコン出力サポート部７０は、格納部１５０に格納されたサービス使用データベース１５５を確認する。
【００５０】
アイコン出力サポート部７０は、サービス使用データベース１５５またはサービスネットワーク検査部６３から特定アイコンに対するサービス使用可能量を確認し、確認されたサービス使用可能量に対応する色調節されたアイコンを表示部１４０に出力する。この際、アイコン出力サポート部７０は、色調節されたアイコンをアイコンテーブル１５３に格納された色調節されたアイコンの内から、１つを選択して出力する。
【００５１】
また、アイコン出力サポート部７０は、１つのアイコンでサービス使用可能量に対応するように色調節を行って表示部１４０に出力する。２つの方式の差は、出力する色調節されたアイコンを予め具現して提供するか、或いは１つのアイコンを出力の都度色調節して出力するかということである。
【００５２】
図３は、本発明の一実施形態によるサービス使用状態に従うアイコン表示方法を説明するための図である。
【００５３】
図３を参照すると、本実施形態のアイコン表示方法は、まず、ステップ３０１で携帯端末機１００の制御部１６０が、電源部から供給される電源を携帯端末機１００の各構成部に供給するように制御して、携帯端末機１００の動作が可能になるようにサポートする。特に、制御部１６０は電源部からの電源を入力部１２０などに供給して特定入力イベントが生成されるか否かを確認する。
【００５４】
制御部１６０は入力イベントが生成されると、ステップ３０３で当該入力イベントがアイコン表示画面出力を要請するための入力イベントか否かを確認する。制御部１６０は、アイコン表示画面出力を要請するための入力イベントではない場合、ステップ３０５に分岐して該当入力イベントに従う機能を遂行する。例えば、制御部１６０は入力イベントに応じて再生中の音楽のボリュームを調節したり、ロックスクリーン画面の出力及びロック解除したりすることができる。
【００５５】
一方、ステップ３０３でアイコン表示画面出力を要請するための入力イベントが発生すると、制御部１６０はステップ３０７でアイコン表示画面に含まれたアイコンのうち、使用制限があるサービスに関連付けられたアイコンを確認し、ステップ３０７で該当アイコンに関連したサービス使用可能量を検査するように制御する。
【００５６】
例えば、制御部１６０は、ウェブ接続機能、音楽利用機能、ビデオコンテンツ利用機能、ＤＲＭテキストコンテンツ利用機能など、予め料金支払または料金制選択後、該当料金や料金制が定めるサービス使用総量のうち、サービス使用量が差し引きされたサービス使用可能量を検出する。この際、制御部１６０は上述したように、格納部１５０に格納された各サービス使用量の累積値と予め獲得されたサービス使用総量情報に基づいて算出されたサービス使用可能量を検出する。または、制御部１６０は該当サービスを提供するサービス事業者サーバの接続を実行し、該当サービス事業者サーバにサービス使用可能量情報を問い合わせ、それに従う情報収集を実行する。
【００５７】
次に、制御部１６０はステップ３０９でサービス使用可能量に従って出力されるアイコンの一部の色調節を実行して表示部１４０に出力する。この際、制御部１６０はサービス使用可能量に対応する色調節されたアイコンをアイコンテーブル１５３で確認し、確認されたアイコンを表示部１４０に出力する。または、制御部１６０はサービス使用可能量に従って、予め定義された色除去部位を出力されたアイコンに適用して一部領域の色が除去されたアイコンを出力する。
【００５８】
図４は、本発明の一実施形態によるサービス使用状態に従うアイコン表示方法のネットワークに関連した一例を説明するための図である。
【００５９】
図４を参照すると、携帯端末機１００の制御部１６０は、ステップ４０１で電源部から供給された電源を携帯端末機１００の各構成部に供給するように制御し、入力イベント発生時、ステップ４０３でアイコン表示画面出力のための入力イベントであるか否かを確認する。ステップ４０３で、制御部１６０はアイコン表示画面出力のための入力イベントでない場合、ステップ４０５に分岐して該当入力イベントに従う機能、例えば格納部に格納された情報出力機能、ロックスクリーン解除機能、時間アラーム機能、及び時間表示機能などを遂行する。
【００６０】
一方、制御部１６０は、ステップ４０３で少なくとも１つのアイコンが表示された画面出力を要請する入力イベントが発生すると、ステップ４０７で無制限サービスが使用可能か否かを確認する。例えば、制御部１６０は通信部１１０に含まれた構成のうち、Ｗｉ−Ｆｉモジュール動作が可能か否かを確認する。このために、制御部１６０は通信部１１０に含まれたＷｉ−Ｆｉモジュールを作動させて周辺ＡＰが存在するかを確認する。即ち、制御部１６０はＷｉ−Ｆｉモジュールがターン−オフされている場合、Ｗｉ−Ｆｉモジュールをターン−オンして周辺ＡＰが存在するか否かを確認する。Ｗｉ−Ｆｉモジュールが活性化されている場合、特定ＡＰに接続中か否かを確認する。即ち、無制限サービス使用可能か否かの確認ステップは、携帯端末機１００がＷｉ−Ｆｉ網に接続中であるか否かを確認するステップを含む。
【００６１】
ステップ４０７で、制御部１６０は周辺ＡＰが存在してデータ使用を無制限及び無料で利用することができる場合、または無制限または無料で利用可能な特定Ｗｉ−Ｆｉ網に接続中の場合、ステップ４０９に分岐して設定に従うアイコン表示調節を行う。即ち、制御部１６０はアイコン表示過程で色除去無しの１００％カラーイメージで構成されたアイコンを表示部１４０に出力する。または、制御部１６０は無制限使用可能であることを表すハイライト表示または予め定義されたアニメーション効果、無制限使用可能であることを案内するテキスト情報出力のうち、少なくとも１つをサポートする。
【００６２】
一方、ステップ４０７で無制限サービス使用が不可能な場合、例えばＷｉ−Ｆｉモジュールの作動が不可能な場合、または現在携帯端末機１００が無制限や無料で利用することができるＷｉ−Ｆｉ網に接続していない場合、制御部１６０はステップ４１１に分岐してサービス使用可能量情報を確認し、ステップ４１３でサービス使用可能量に従うアイコンの一部の色調節表示を行う。ここで、ステップ４１１及びステップ４１３は、図３で説明したステップ３０７及びステップ３０９と実質的に同一のステップを実行するステップになる。
【００６３】
制御部１６０は、ステップ４１５でアイコン表示画面終了のための入力イベントが発生するか否かを確認する。アイコン表示画面終了のための入力イベントが発生しない場合、ステップ４０７の前に分岐して以降のステップを継続する。一方、制御部１６０はアイコン表示画面終了のための入力イベントが発生すると、ステップ４０３の前に分岐して以降のステップを再実行する。
【００６４】
図５は、本発明の一実施形態によるサービス使用状態に従うアイコン表示方法のうち、アイコン関連サービス運用サポートを説明するための図である。
【００６５】
図５を参照すると、携帯端末機１００の制御部１６０は、ステップ５０１で電源を供給し、入力イベント発生時、ステップ５０３でアイコン表示画面出力のための入力イベントであるか否かを確認する。アイコン表示画面出力のための入力イベントでない場合、制御部１６０はステップ５０５に分岐して該当入力イベントに従う画面表示をサポートする。
【００６６】
一方、制御部１６０はアイコン表示画面出力のための入力イベントが発生すると、ステップ５０７でサービス使用可能量検査を実行する。ステップ５０７で、制御部１６０はアイコン表示画面に出力するアイコンのうち、サービス使用可能量検査を必要とするアイコンを確認し、該当アイコンの色調節のためのサービス使用可能量情報収集を行う。
【００６７】
サービス使用可能量情報収集が完了すると、制御部１６０はステップ５０９で特定アイコンに関連付けられたサービス使用可能量が予め定義された設定値より大きいか否かを確認する。
【００６８】
ステップ５０９でサービス使用可能量情報が設定値より大きい場合、制御部１６０はステップ５１１で収集したサービス使用可能量情報に従うアイコンの一部の色調節表示を行う。ステップ５１１は図３で説明したステップ３０９と実質的に同一のステップを実行する。
【００６９】
一方、ステップ５０９でサービス使用可能量が予め定義された設定値より小さい場合、制御部１６０はステップ５１３に分岐して予め定義された警告表示を行う。例えば、制御部１６０はサービス使用可能量が一定量以下であることを案内する予め定義された警告ポップアップを表示部１４０に出力したり、警告メッセージに該当する振動パターンを具現したり、警告案内音を出力したりする。制御部１６０はステップ５１５で該当サービスに関連して追加サービスの購買要請及び処理を行う。例えば、制御部１６０はデータ使用量の追加のために追加購買確認のためのポップアップウィンドウを出力する。制御部１６０は追加購買確認のための入力イベントが発生すると、該当サービス追加購買のためにサービス事業者サーバへの接続を行う。
【００７０】
その後、制御部１６０はサービス事業者サーバが提供するサービスページの出力を行い、ユーザ入力に従うサービスの追加購買のための処理を行う。サービス追加購買が完了すると、制御部１６０はサービス使用総量を更新し、それに従うサービス使用可能量算出を再設定する。ここで、サービス追加購買は、データ使用量購買、音楽やビデオコンテンツ使用時間、または音楽使用回数購買、テキストコンテンツ使用時間や使用回数購買などになる。
【００７１】
次に、制御部１６０はステップ５１７でアイコン表示画面の終了のための入力イベント発生があるか否かを確認し、該当入力イベント発生がない場合、ステップ５０７に分岐して以降のステップを一定周期で継続したり、ステップ５０３に分岐してアイコン表示画面出力が再び要請される場合、サービス使用可能量に従うアイコンを出力したりする。
【００７２】
図６は、本発明の一実施形態によるサービス使用可能量に従うアイコン表示をサポートする画面インターフェースの一例を示す図である。
【００７３】
図６を参照すると、携帯端末機１００はユーザ要請によって画面６０１のように少なくとも１つのアイコンを含む待機画面を表示部１４０に出力する。本発明のアイコン表示方法が適用される側面で待機画面はやはりアイコン表示画面の一種類になる。一方、画面６０１に図示した待機画面は、時計領域１０、検索領域２０、ショートカットアプリ領域３０、及び基本機能アプリ領域４０を含む。
【００７４】
ショートカットアプリ領域３０は、カメラ機能に関連したアプリアイコン、及び格納部に格納されたファイル再生をサポートするアプリアイコンを含む。ここで、該当ショートカットアプリ領域３０に出力されたアプリアイコンは使用制限が定義されないアプリが表示され、またユーザ設定によってショートカットアプリ領域３０に含まれるアプリアイコンが指示する機能の中にも使用制限が定義されるサービス機能が含まれ得る。
【００７５】
一方、基本機能アプリ領域４０には、通話アプリアイコン４１、フォンブックアイコン４２、メッセージアイコン４３、ウェブ接続サポートアイコン４４、及びアプリメニュー画面アイコン４５が表示される。ここで、通話アプリアイコン４１とウェブ接続サポートアイコン４４は、本実施形態によるサービス使用可能量に従って色調節されたアイコンが表示される。特に、通話アプリアイコン４１の場合、限定された通話料金制に加入した場合、全体通話サービス使用総量が定義される。
【００７６】
制御部１６０は通話サービス使用に従うサービス使用量を累積してサービス使用可能量を算出するか、通話サービスをサポートするサービス事業者サーバから通話使用に従うサービス使用可能量情報を受信して通話アプアイコン４１の色調節量を決定する。同様に、ウェブ接続サポートアイコン４４も制御部１６０がデータ通信サービス使用総量に対する情報を基準にデータ通信サービス使用量を減算してサービス使用可能量を算出するか、データ通信サービスをサポートする事業者サーバから該当情報を受信し、該当情報に従ってウェブ接続サポートアイコン４４の色調節量を決定する。色調節量が決定されると、制御部１６０はアイコンテーブル１５３を利用するか、アイコンから色を除去する方式のうち、少なくとも１つを用いて該当色調節が適用されたアイコンが画面６０１のように表示部１４０に出力される。
【００７７】
一方、画面６０１でアプリメニュー画面アイコン４５が選択されると、制御部１６０は画面６０３のように多様なアイコンを含むアイコン表示画面を出力する。画面６０３で多数のアイコンのうち、使用制限サービスが適用される機能を示すアイコンは少なくとも１つが配置される。図示した図面では、ウェブ接続サポートアイコン４４、通話アプリアイコン４１、音楽利用アイコン４６、ビデオコンテンツ利用アイコン４７が使用制限が適用されるサービスに関連したアイコンになる。
【００７８】
追加で、他のアイコンも使用制限が要求されるサービスアイコンである場合、色調節されたアイコン表示が適用される。例えば、上述したアイコンのうち、使用制限が要求されるアイコンはカラー色が一部除去されて該当サービス使用可能量の程度を直観的に認識することができる。
【００７９】
図７は本発明のサービス使用状態による色調節されたアイコン表示を説明するための図であり、残っているデータサービス使用可能量のレベルに対応する状態が表示されたウェブ接続サポートアイコン４４を示すものである。
【００８０】
図７を参照すると、ウェブ接続サポートアイコン４４は、状態７０１のように全ての色が全て満たされた初期形態で出力される。この状態７０１は、ウェブ接続サポートアイコン４４が示すデータ使用機能に関連してデータ使用可能量が１００％残っている場合に該当する。また、状態７０１はウェブ接続サポートアイコン４４に基づいて使用するデータ接続機能が料金制限のない状況、例えば無制限サービス料金制に加入したり、無制限サービス区域に進入したりした場合に提供される。無制限サービス区域であるＷｉ−Ｆｉモジュールが設置されて無料でインターネット接続が用いられる状態に該当する。
【００８１】
一方、状態７０３はデータ使用が発生するにつれてデータ使用総量のうち、データ使用可能量を示すものである。図示した状態７０３は背景の色は維持され、中心に配置された地球の一部の色のみをサービス使用可能量に従って除去して表示したものである。ここで、白黒処理された領域はデータ使用量のレベルに対応し、カラー処理された領域はデータ使用可能量のレベルに対応する。状態７０３のウェブ接続サポートアイコン４４が出力された状態で携帯端末機１００がＷｉ−Ｆｉモジュール接続可能地域へ移動した場合、携帯端末機のウェブ接続サポートアイコン４４は状態７０１で表示される。
【００８２】
一方、携帯端末機１００の制御部１６０は、色調節されたアイコン出力時点を表示部１４０の周期的な更新時点に合わせて適用し得る。より詳細に説明すると、上述した色調節されたアイコンの出力時点は、アイコン表示画面が出力される時点、特定アイコンが指示された時点などに一致すると説明した。一方、色調節されたアイコンが表示部１４０に出力された後、該当サービス使用量に従って色調節量が変更されるが、制御部１６０は色調節されたアイコン出力を表示部１４０の更新の周期に合わせて遂行し得る。
【００８３】
表示部１４０は、画面表示のために一定の周期で継続的に画面表示更新を実行してユーザ入力に従う画面変更を行う。制御部１６０は、上述した色調節されたアイコン表示要請が発生すると、表示部１４０の画面更新時点まで待機し、表示部１４０の画面更新時点が到来すると、色調節されたアイコン表示を合わせて実行するように制御する。
【００８４】
一方、制御部１６０は使用制限が定義された特定アイコンを選択する前にホバリング状態が維持される場合、サービス使用可能量に従う色調節されたアイコン出力を行う。このために、タッチパネルは指やタッチペンなどが物理的に接触する前に一定間隔が維持される場合、これをホバリング状態と感知し、該当ホバリングイベント発生を制御部１６０に伝達する。
【００８５】
制御部１６０は、指やタッチペンによるホバリング状態が発生すると、ホバリング地点により指示されたアイコンがサービス使用制限が要求される機能をサポートするアイコンであるか否かを確認する。そして、制御部１６０はサービス使用制限が要求された場合、該当アイコンのサービス使用可能量に従って色調節されたアイコン出力を行う。
【００８６】
図８及び図９は、本発明の一実施形態によるサービス使用可能量情報の表現を多様化する一例を説明するための図である。
【００８７】
図８を参照すると、ユーザは色調節されたアイコンが表示された表示部１４０上で、色調節されたアイコンの色調節量を通じてサービス使用可能量がどのくらいなのかを直観的に認識し得る。しかしながら、より正確なサービス使用可能量に対する情報獲得が困難である。これを補完するために、携帯端末機１００は状態８０１〜状態８０５を提供してユーザ入力によって色調節された量に関するテキスト情報を提供する。
【００８８】
ユーザが状態８０１のアイコンを選択し、状態８０３及び状態８０５のように一定方向にアイコンを移動させるスウィープイベント（Ｓｗｅｅｐ）やドラッグイベントなどを行う場合、制御部１６０は状態８０５のようにテキスト情報が該当アイコンに出力されるようにサポートする。ここで、アイコンに出力される情報は状態８０５のようにサービス使用総量情報及びサービス使用可能量情報を共に表示し得る。または、設計者の意図に従ってサービス使用可能量のみを表すテキスト情報が出力されるか、またはサービス使用量及びサービス使用可能量情報を共に表示し得る。
【００８９】
また、制御部１６０はユーザの指などがタッチパネルに近く配置された場合、即ちタッチパネルの上で指がホバリング状態と認識される場合、これを認識し、上述した情報表示機能、即ちサービス使用総量情報、サービス使用可能量、サービス使用量のうち、少なくとも１つを表示部に出力する。ここで、携帯端末機１００は指以外の別途に設けられたタッチペンのホバリング状態に対しても同様に情報表示機能をサポートする。そして、携帯端末機１００はタッチペンのホバリング機能サポートのために指タッチと区分される別途のペンタッチパネルを更に含み得る。
【００９０】
一方、制御部１６０はテキスト情報が出力されたアイコン状態を一定時間の間維持し、一定時間が経過すると、状態８０１に復帰するように制御する。または、制御部１６０はアイコン表示画面を再表示するためのイベント、例えば画面切換イベントや画面ターン−オフ後に再びターン−オンされる場合、状態８０１に復帰するようにサポートすることもできる。
【００９１】
または、図９の状態９０１及び状態９０３のように、アイコンのイメージ選択後、一定方向に移動させるための入力イベントによってアイコンのイメージを変更して出力し、タッチ解除イベント（ＲＥＬＥＡＳＥ）が発生すると、制御部１６０は状態９０５のように元の状態に復帰するように制御する。
【００９２】
図１０は、本発明の他の実施形態による色調節されたアイコン表示形態を説明するための図である。
【００９３】
図１０を参照すると、本実施形態の色調節されたアイコン表示方法は、図示したように、色の一部が除去され、かつ少なくとも２方向で色の一部が除去されるように表示する。即ち、制御部１６０は色調節を実行する過程で、サービス使用可能量の変化に従ってサービス使用可能量に該当する面積を徐々に減少し、かつ少なくとも２方向で減少するようにサポートする。先の説明では上方から下方へサービス使用可能量に該当する面積またはカラーイメージを縮小したが、本実施形態の携帯端末機１００は図１０に示したように多様な方向で面積減少を行う。
【００９４】
特に、制御部１６０は１００％の場合には状態１００１のようにアイコン面積全体のうち、区画された特定イメージ領域全体の色をカラーに維持する。そして、サービス使用可能量の変化に従って８０％が残った場合、制御部１６０は状態１００３のように相対的に小さい三角形のカラーイメージを出力し、４０％が残った場合、状態１００５のように、より少ない三角形のカラーイメージをアイコン領域の内に出力する。
【００９５】
ここで、カラーイメージ領域を三角形に図示したが、本実施形態はこれに限定されるものではなく、サービス使用可能量の変化に従って白黒イメージに変更されるカラーイメージ領域は一定サイズのアイコン領域の内に表示できる多様な形態の模様、例えば星形、四角形、円形、楕円形、自由曲線に区画される多様な形態のうち、少なくとも１つの形態に具現される。
【００９６】
一方、サービス使用可能量が一定量、例えば１０％以下になった場合、制御部１６０は状態１００７のように警告メッセージを出力する。図示した状態１００７では警告メッセージ（Ｗａｒｎｉｎｇ）テキスト情報がアイコン領域の内に出力される形態を示すものである。しかしながら、本発明はこれに限定されるものではなく、より多様な警告効果出力をサポートすることができる。例えば、制御部１６０は１０％以下のアイコンに対して一定周期でちらつくように表示制御するか、アイコン表示画面が最初に出力される時点のみに一定回数ちらつくように表示し、図示のように警告メッセージがアイコン領域の内に出力されるようにサポートし得る。
【００９７】
図１１は、本発明の一実施形態によるサービス使用可能量に従うアイコン表示方法の他の例を説明するための図である。
【００９８】
図１１を参照すると、通信基盤特定サービス、例えば音楽サービスの場合、データ通信を基盤とするため、使用制限が定義されたサービス使用が複合的になされる。即ち、音楽サービスを使用する場合、データ使用量及び音楽使用量が発生する。
【００９９】
このため、携帯端末機１００の制御部１６０は、状態１１０１のように複合サービス使用が要求される機能を示すアイコンには複合サービス使用可能量が適用された色調節されたアイコンが出力されるようにサポートする。例えば、制御部１６０はデータサービス使用可能量表示領域１１及び音楽サービス使用可能量表示領域１２をアイコンの内に表示する。
【０１００】
特に、データサービス使用可能量が１００％に維持され、音楽サービス使用可能量が１００％に維持される場合、制御部１６０は状態１１０１のようにカラーイメージがデータサービス使用可能量表示領域１１及び音楽サービス使用可能量表示領域１２の全てに満たされたアイコン出力を制御する。一方、データサービス使用可能量が６０％であり、音楽サービス使用可能量が９０％である場合、制御部１６０は、状態１１０３のようなアイコン出力をサポートする。これによって、ユーザは複合サービス使用が要求される機能を示すアイコンの領域別サービス使用可能量表示に従って、より直観的な情報獲得が可能である。
【０１０１】
一方、上述した複合サービス使用機能は、図８及び図９のテキスト情報出力機能にも同一に適用される。即ち、図８及び図９のように、色調節されたイメージ領域が入力イベントによってアイコン領域で除去され、テキスト情報が出力される時、制御部１６０は複合サービスの各々に対するサービス使用可能量に対する情報出力が行われるようにサポートする。例えば、データサービス関連情報と音楽サービス関連情報を各々テキスト情報としてアイコンの上に出力する。
【０１０２】
状態１１０５のアイコンは、複合サービス使用状態の変化に従って色調節された領域が変更された状態を示すものである。例えば、制御部１６０はネットワーク接続状態の変更に従って携帯端末機１００のデータサービス使用が無制限に変更された場合、状態１１０５のようにデータサービス使用可能量領域１１を除去し、音楽サービス使用可能量領域１２のみがアイコンに表示されるようにサポートする。これを通じてユーザは、状態１１０５のアイコン確認を通じて携帯端末機１００が複合サービスのうち、第１サービスに対して無制限サービス使用地域に進入したことを容易に認識することができ、音楽サービスの使用可能量情報をより明確に認識し得る。
【０１０３】
以上、説明したように、本実施形態によるサービス使用状態に対応したアイコン表示方法及びこれをサポートする携帯端末機は、使用が制限されるサービスの使用可能量情報をより直観的に認識することができる。そして、本発明はサービス利用に応じて追加購買をより容易にし、多様なサービス状態、例えばネットワーク接続状態などによって特定サービスをどのくらい利用できるかをリアルタイムに確認することができる。
【０１０４】
一方、上述した説明ではアイコンの色調節がサービス使用可能量を基準に調節されることを説明したが、本発明はこれに限定されるものではない。即ち、本発明のアイコン色調節はサービス使用量によって調節され得る。
【０１０５】
一方、上述した携帯端末機１００はその提供形態によって多様な追加モジュールをさらに含む。即ち、携帯端末機１００は通信端末機の場合、近距離通信のための近距離通信モジュール、携帯端末機１００の有線通信方式または無線通信方式によるデータ送受信のためのインターフェース、インターネットネットワークと通信してインターネット機能を遂行するインターネット通信モジュール、及びディジタル放送受信と再生機能を遂行するディジタル放送モジュールのように、上記で言及していない構成をさらに含み得る。
【０１０６】
このような構成要素はディジタル機器のコンバージェンスという趨勢に伴い変形が非常に多様であるので全て列挙することはできないが、上記で言及した構成要素と同等な水準の構成要素を上記デバイスにさらに含めて構成し得る。また、本発明の携帯端末機１００はその提供形態によって上述した構成で特定の構成が除外されるか、他の構成に取替ることができることは勿論である。
【０１０７】
また、本発明の実施形態による携帯端末機１００は、例えば、携帯端末機１００が多様な通信システムに対応する通信プロトコルに基づいて動作する全ての移動通信端末機（ｍｏｂｉｌｅ  ｃｏｍｍｕｎｉｃａｔｉｏｎ  ｔｅｒｍｉｎａｌｓ）をはじめとして、ＰＭＰ（Ｐｏｒｔａｂｌｅ  Ｍｕｌｔｉｍｅｄｉａ  Ｐｌａｙｅｒ）、ディジタル放送プレーヤー、ＰＤＡ（Ｐｅｒｓｏｎａｌ  Ｄｉｇｉｔａｌ  Ａｓｓｉｓｔａｎｔ）、音楽再生機（例えば、ＭＰ３プレーヤー）、携帯ゲーム端末、スマートフォン、ノートブックＰＣ、及びハンドヘルドＰＣなど、全ての情報通信機器とマルチメディア及びそれに対する応用機器を含む。
【０１０８】
以上、本発明の実施形態について図面を参照しながら詳細に説明したが、本発明は、上述の実施形態に限られるものではなく、本発明の技術的範囲から逸脱しない範囲内で多様に変更実施することが可能である。
【符号の説明】
【０１０９】
１０    時計領域
２０    検索領域
３０    ショートカットアプリ領域
４０    基本機能アプリ領域
４１    通話アプリアイコン
４２    フォンブックアイコン
４３    メッセージアイコン
４４    ウェブ接続サポートアイコン
４５    アプリメニュー画面アイコン
４６    音楽利用アイコン
４７    ビデオコンテンツ利用アイコン
６０    サービス検査部
６１    サービス端末検査部
６３    サービスネットワーク検査部
７０    アイコン出力サポート部
１００    携帯端末機
１１０    通信部
１２０    入力部
１３０    オーディオ処理部
１４０    表示部
１５０    格納部
１５１    アイコン出力サポートプログラム
１５３    アイコンテーブル
１５５    サービス使用データベース
１６０    制御部
【図１】
2014135057.tif 000003
【図２】
2014135057.tif 000004
【図３】
2014135057.tif 000005
【図４】
2014135057.tif 000006
【図５】
2014135057.tif 000007
【図６】
2014135057.tif 000008
【図７】
2014135057.tif 000009
【図８】
2014135057.tif 000010
【図９】
2014135057.tif 000011
【図１０】
2014135057.tif 000012
【図１１】
2014135057.tif 000013